(57)【要約】【課題】  遮水構造を備えた連結構造物の単位となる構造体同士が互いに移動しても遮水機能と連結機能を正常に維持できる遮水構造を備えた連結構造物を提供する。【解決手段】  連結構造体の遮水構造を、複数の構造体を幅方向に順次に連結して水域と水域の間または水域と他の領域の間に設けられる遮水構造を備えた連結構造物であって、構造体の連結部の空間に充填された不透水性充填材と、構造体の厚さ方向での空間の両端において隣り合う構造体の側壁を連結して設置された側面密封部とを備えてなる。さらに、連結部において隣り合う構造体の互いに対向する両端面にそれぞれ平板を上下方向に延在させ複数配列して取り付け、両端面の平板同士を交互に緩くかみ合わせた係止部や、連結部の空間にわたって設けられる遮水部材、加熱により流動し構造体の連結部の空間に生じる隙間を埋める熱流動性遮水材を備えてもよい。【選択図】図１
2004339921.tif 000002
【特許請求の範囲】
【請求項１】
複数の構造体を幅方向に順次に連結して水域と水域の間または水域と他の領域の間に設けられる遮水構造を備えた連結構造物であって、隣り合う前記構造体の連結部の空間に充填された不透水性充填材と、同構造体の厚さ方向での同空間の両端において隣り合う前記構造体の側壁を連結して設置された側面密封部とを備えることを特徴とする遮水構造を備えた連結構造物。
【請求項２】
請求項１に記載の遮水構造を備えた連結構造物において、前記側面密封部の外側を覆う補助密封部にたるみを持たせて設置することを特徴とする遮水構造を備えた連結構造物。
【請求項３】
請求項１または請求項２に記載の遮水構造を備えた連結構造物において、前記連結部において隣り合う前記構造体の互いに対向する両端面にそれぞれ平板を上下方向に延在させ複数配列して取り付け、前記両端面の平板同士を交互に緩くかみ合わせ、前記構造体の上下方向および幅方向の変位は許容し、厚さ方向の変位は拘束するように構成された係止部を備えることを特徴とする遮水構造を備えた連結構造物。
【請求項４】
請求項３に記載の遮水構造を備えた連結構造物において、前記係止部を構成する平板は、その下端部を水底中に貫入させ、前記各構造体毎に他方の端面の平板の下端部と同構造体の底部を巡って接続し同構造体外周にＵ字状に取り付けられることを特徴とする遮水構造を備えた連結構造物。
【請求項５】
請求項３または請求項４に記載の遮水構造を備えた連結構造物において、前記係止部が、前記平板に代えて渦巻状に巻いた板材を、巻き中心方向を上下方向に配向し前記構造体の互いに対向する両端面にそれぞれ巻きの後端辺で取り付けて、対向する端面の同板材同士を緩くかみ合わせ、同構造体の上下方向の変位は許容し、同構造体の幅方向および厚さ方向の変位は拘束するように構成されることを特徴とする遮水構造を備えた連結構造物。
【請求項６】
請求項３または請求項４に記載の遮水構造を備えた連結構造物において、前記係止部が、前記平板に代えて前記端面とともにＳ字状をなすように巻いた板材を、巻き中心方向を上下方向に配向し前記構造体の互いに対向する両端面にそれぞれ巻きの後端辺で取り付けるとともに、同板材と対向する側の端面に同板材の先端と相対する係止板をそれぞれ取り付け、対向する端面の同板材同士を緩くかみ合わせ、同構造体の上下方向の変位は許容し、同構造体の幅方向および厚さ方向の変位は拘束するように構成されることを特徴とする遮水構造を備えた連結構造物
【請求項７】
請求項１ないし請求項６のいずれかに記載の遮水構造を備えた連結構造物において、前記不透水性充填材が充填された前記空間に生じた空隙を充填する補充液のタンクを備えることを特徴とする遮水構造を備えた連結構造物。
【請求項８】
請求項１に記載の遮水構造を備えた連結構造物において、前記連結部の空間に、前記構造体の上下方向および幅方向にわたって設けられる遮水部材を更に備えることを特徴とする遮水構造を備えた連結構造物。
【請求項９】
請求項８に記載の遮水構造を備えた連結構造物において、前記構造体は前記端面に切欠き部を備え、前記遮水部材の前記端部は前記切欠き部に設けられること
を特徴とする遮水構造を備えた連結構造物。
【請求項１０】
請求項８または請求項９に記載の遮水構造を備えた連結構造物において、前記遮水部材は、波形板であることを特徴とする遮水構造を備えた連結構造物。
【請求項１１】
請求項１０に記載の遮水構造を備えた連結構造物において、前記波形鋼板が前記切欠き部に納められている部分に強度弱小部を備えることを特徴とする遮水構造を備えた連結構造物。
【請求項１２】
請求項１ないし請求項１１のいずれかに記載の遮水構造を備えた連結構造物において、前記連結部の空間に、前記構造体の上下方向および幅方向にわたって設けられる熱流動性遮水材と、前記熱流動性遮水材を加熱する加熱手段とを更に備えることを特徴とする遮水構造を備えた連結構造物。
【発明の詳細な説明】
【技術分野】
【０００１】
本発明は、海岸、河川岸、湖岸等の沿岸水域などに設置する護岸構造、防波堤など、沿岸構造物として用いられる遮水構造を備えた連結構造物に関する。
【背景技術】
【０００２】
図２０から図２２に基づき、従来の遮水構造を備えた連結構造物について説明する。図２０は連結構造物の例として一般的な沿岸構造物の斜視図、図２１は図２０中Ａ−Ａ矢視断面で示す沿岸構造物の設置状態説明図であり、（ａ）は陸地Ｇと海域Ｓ１との間、（ｂ）は海域Ｓ１と海域Ｓ２との間に設置した場合を示す。図２２は沿岸構造物のケーソンの移動状態の説明図であり、（ａ）、（ｂ）は図２０中Ｂ−Ｂ矢視立面断面図、（ｃ）は図２０中Ｃ−Ｃ矢視平面図である。
【０００３】
護岸構造や防波堤などの沿岸構造物としての連続構造物１０は、図２１に示すように、例えば、沿岸海域すなわち、海域Ｓ１と陸地Ｇ等他の領域との間、または海域Ｓ１と海域Ｓ２との間等に設置されて海水の進入を阻止し、あるいは波浪の影響を防止する。
【０００４】
なお、図２１において連続構造物１０は、沿岸海域に設けられた沿岸構造物を例示したが、本発明は「沿岸海域」のみに限られず、河川水域、湖水域を含む一般的な水域の「沿岸水域」における沿岸構造物に適用されるものである。以下、従来例、本発明の実施の形態も、海域の場合を例に説明する。
【０００５】
図２０に沿岸構造物の一例を示す。図２０において連結構造物１０は海域Ｓ１と海域Ｓ２との間に設置される。連結構造物１０としては単位となる構造体（以下、「ケーソン」という）１を幅方向に順次に連結したものが一般に使用され、ケーソン１同士は連結部２を介して連結されている。（なお、ここで「幅方向」とは、ケーソン１が順次連結される方向Ｘをいう。）従来の連結構造物１０の連結部２には、ゴムシート、フェンダータイプゴム製シートその他の止水用部材などが使用されている（例えば、特許文献１参照）。
【０００６】
上記のような連結構造物１０は海水と接しているので、従来の連結構造物１０の連結部２は、ケーソン１同士の連結機能と共に遮水機能を保持する必要がある。ところが、沿岸海域では海底Ｇｓの土質条件などの影響で、図２２（ａ）中２点鎖線のように地盤沈下しケーソン１が不等沈下したり、図２２（ｂ）中２点鎖線のように傾斜したり、あるいは図２２（ｃ）２点鎖線のように波浪や地震などを受けて側方移動を生じたりすることがある。しかもこれらの変位量は数十センチにも達することがあり、そのため、従来型の連結部２の遮水構造ではその変位に追随できず、上記ゴムシートの亀裂や連結部２の破損などが生じ、連結機能および遮水機能に支障をきたす恐れがあるという問題があった。また、波浪、地震などにより生じる過大な外力を受けて構造の一部が破損する場合があり、そのような場合においても遮水機能を維持できる遮水構造が望まれている。
【０００７】
【特許文献１】特開２００２−２６６３４４公報（１頁、図１から図６）
【発明の開示】
【発明が解決しようとする課題】
【０００８】
本発明は、かかる従来の遮水構造を備えた連結構造物の問題を解消し、遮水構造を備えた連結構造物の単位の構造体同士、すなわちケーソン同士が互いに移動しても遮水機能と連結機能を正常に維持できる遮水構造を備えた連結構造物を提供することを目的とするものである。
【０００９】
さらに本発明は、構造の一部が破損することがあっても遮水機能を維持できる遮水構造を備えた連結構造物を提供することを目的とするものである。
【課題を解決するための手段】
【００１０】
（１）本発明は、上記の課題を解決するためになされたものであり、その第１の手段として、複数の構造体を幅方向に順次に連結して水域と水域の間または水域と他の領域の間に設けられる遮水構造を備えた連結構造物であって、連結部において隣り合う前記構造体の連結部の空間に充填された不透水性充填材と、同構造体の厚さ方向での同空間の両端において隣り合う前記構造体の側壁を連結して設置された側面密封部とを備えてなることを特徴とする遮水構造を備えた連結構造物を提供する。
【００１１】
上記のような第１の手段によれば、不透水性充填材により遮水がなされるとともに側面密封部の撓み変形によって、構造体同士の厚さ方向の相対変位が吸収され、不透水性充填材が側壁側から漏洩することはなく、連結部の連結機能および遮水機能が正常に保持される。連結構造物の構造体に不等沈下、傾斜、側方移動等が生じても、これらの相対変位または移動を吸収、許容し、正常な連結機能および遮水機能を保持することができる。
【００１２】
（２）第２の手段としては、第１の手段の遮水構造を備えた連結構造物において、前記側面密封部の外側を覆う補助密封部にたるみを持たせて設置してなることを特徴とする遮水構造を備えた連結構造物を提供する。
【００１３】
第２の手段によれば、第１の手段の作用に加え、構造体が大きく相対変位または移動し連結部の側面密封部が破損した場合も、側面密封部を覆って補助密封部にたるみを持たせて設置しているので、不透水性充填材が外部の水域または他の領域側へ漏洩することがない。
【００１４】
（３）また、第３の手段として、第１の手段または第２の手段の遮水構造を備えた連結構造物において、前記連結部において隣り合う前記構造体の互いに対向する両端面にそれぞれ平板を上下方向に延在させ複数配列して取り付け、前記両端面の平板同士を交互に緩くかみ合わせ、前記構造体の上下方向および幅方向の変位は許容し、厚さ方向の変位は拘束するように構成された係止部を備えてなることを特徴とする遮水構造を備えた連結構造物を提供する。
【００１５】
上記のような第３の手段によれば、第１の手段または第２の手段の作用に加え、構造体の上下方向および幅方向の変位は許容し、厚さ方向の変位は拘束するが、係止部の平板の弾性変形、さらには塑性変形能力によって構造体同士の厚さ方向の相対変位が吸収され、連結部の連結機能および遮水機能が正常に保持される。連結構造物の構造体に不等沈下、傾斜、側方移動等が生じても、これらの相対変位または移動を吸収、許容し、正常な連結機能および遮水機能を保持することができる。
【００１６】
（４）第４の手段として、第３の手段の遮水構造を備えた連結構造物において、前記係止部を構成する平板は、その下端部を水底中に貫入させ、前記各構造体毎に他方の端面の平板の下端部と同構造体の底部を巡って接続し同構造体外周にＵ字状に取り付けられてなることを特徴とする遮水構造を備えた連結構造物を提供する。
【００１７】
第４の手段によれば、第３の手段の作用に加え、係止部を構成する平板はその下端部が、各構造体毎に他方の端面の平板の下端部と構造体の底部を巡って接続しＵ字状に取り付けられているので、構造体底部での漏水が防止される。
【００１８】
（５）第５の手段として、第３の手段または第４の手段の遮水構造を備えた連結構造物において、前記係止部が、前記平板に代えて渦巻状に巻いた板材を、巻き中心方向を上下方向に配向し前記構造体の互いに対向する両端面にそれぞれ巻きの後端辺で取り付けて、対向する端面の同板材同士を緩くかみ合わせ、同構造体の上下方向の変位は許容し、同構造体の幅方向および厚さ方向の変位は拘束するように構成されてなることを特徴とする遮水構造を備えた連結構造物を提供する。
【００１９】
第５の手段によれば、第３の手段または第４の手段の作用において、前記連結部の平板の作用に代えて、係合部の板材によって、構造体同士が厚さ方向または幅方向に相対変位した場合、いずれも板材が接触して弾塑性変形し、また、構造体が不等沈下した場合は板材同士が自由に相対変位し、構造体の各方向の相対変位量が吸収され、変位を許容するとともに漏水を阻止することができる。また、側面密封部および補助密封部は同様に作用し、これにより、遮水構造は正常な連結機能および遮水機能を保持することができる。
【００２０】
（６）第６の手段として、第３の手段または第４の手段の遮水構造を備えた連結構造物において、前記係止部が、前記平板に代えて前記端面とともにＳ字状をなすように巻いた板材を、巻き中心方向を上下方向に配向し前記構造体の互いに対向する両端面にそれぞれ巻きの後端辺で取り付けるとともに、同板材と対向する側の端面に同板材の先端と相対する係止板をそれぞれ取り付け、対向する端面の同板材同士を緩くかみ合わせ、同構造体の上下方向の変位は許容し、同構造体の幅方向および厚さ方向の変位は拘束するように構成されてなることを特徴とする遮水構造を備えた連結構造物を提供する。
【００２１】
第６の手段によれば、第３の手段または第４の手段の作用において、前記連結部の平板の作用に代えて、係合部の板材によって、構造体同士が幅方向に離反するように変位した場合、各板材の先端は対応する係止板と引っ掛かり接触して変形し、構造体同士が幅方向に接近するように変位した場合、各板材の先端近傍は相手側端面に押し当てられるか、先端が対応する係止板と接触して変形して、構造体の幅方向の変位を許容するとともに、漏水を阻止し、厚さ方向の移動の場合にも各板材の先端と係止板とがそれぞれ接触して変形し、変位を許容するとともに漏水を阻止することができる。また、側面密封部および補助密封部は同様に作用し、これにより、遮水構造は正常な連結機能および遮水機能を保持することができる。
【００２２】
（７）第７の手段として、第１の手段ないし第６の手段のいずれかの遮水構造を備えた連結構造物において、前記不透水性充填材が充填された前記空間に生じた空隙を充填する補充液のタンクを備えてなることを特徴とする遮水構造を備えた連結構造物を提供する。
【００２３】
第７の手段によれば、第１の手段ないし第６の手段のいずれかの作用に加え、構造体同士が大きく相対変位して構造体間の空間の容積が大きくなり、不透水性充填材が不足して空隙が生じた際は、タンク内の補充液を放出して空隙を満杯に補充し、連結部の空間内のヘッドが構造体両側の水域のヘッドより高く確保されるため、遮水性が向上する。
【００２４】
（８）第８の手段として、第1の手段または第２の手段の遮水構造を備えた連結構造物において、前記連結部の空間に、前記構造体の上下方向および幅方向にわたって設けられる遮水部材を更に備えることを特徴とする遮水構造を備えた連結構造物を提供する。
【００２５】
第８の手段の遮水構造を備えた連結構造物において、前記遮水部材は、水を透過しない材料で製造されており、前記構造体の前記連結部の前記空間に前記構造体の上下方向及び幅方向にわたって設けられる。そのため、たとえば前記側面密封部が破損した場合でも水は前記遮水部材によって浸入が妨げられ、正常な遮水機能が保持される。
【００２６】
前記遮水部材は好適には可撓性を有する。可撓性を有する前記遮水部材は、前記構造体の不等沈下、傾斜、側方移動等が生じてもこれらの相対変位または移動を吸収、許容し、正常な連結機能および遮水機能を保持することができる。
【００２７】
（９）第９の手段として、第８の手段の遮水構造を備えた連結構造物において、前記構造体は前記端面に切欠き部を備え、前記遮水部材の前記端部は前記切欠き部に設けられることを特徴とする遮水構造を備えた連結構造物を提供する。
【００２８】
第９の手段によれば、第８の手段における前記遮水部材の作用を保ったままで、前記連結部の前記空間の幅を前記遮水部材の幅より縮小することができる。前記空間の幅が縮小されると、水の浸入や、前記不透水性充填材の漏洩を少量に留めることができ、遮水性が向上する。
（１０）第１０の手段として、第８の手段または第９の手段の遮水構造を備えた連結構造物において、前記遮水部材が波形板であることを特徴とする遮水構造を備えた連結構造物を提供する。
【００２９】
前記波形板は、幅方向の圧縮や曲げを吸収しやすく、前記構造体の不等沈下、傾斜、側方移動等により生じる前記構造体の相対変位または移動を吸収、許容する能力が高いので、第８の手段または第９の手段の作用を更に高めることができる。
【００３０】
（１１）第１１の手段として、第１０の手段の遮水構造を備えた連結構造物において、前記波形板が前記切欠き部に納められている部分に強度弱小部を備えることを特徴とする遮水構造を備えた連結構造物を提供する。
【００３１】
第１１の手段において、前記遮水部材の前記切欠き部に納められていない部分が破損した場合、前記空間部に浸入してくる水は前記切欠き部を通過することなく前記遮水部材の破損部を通過し、短時間で前記空間を通過する。一方、前記切欠き部に納められている部分が破損した場合、浸入水は前記切欠き部に浸入しないと前記遮水部材の破損部を通過できないため浸入水の通過時間は比較的長くなり、浸入水の漏洩を防ぎやすく、遮水性が向上する。浸入水の通過時間を長くするためには、前記強度弱小部が備えられる位置が前記遮水部材の端部に近いほど好ましい。
【００３２】
（１２）第１２の手段として、第１の手段ないし第１１の手段の遮水構造を備えた連結構造物において、前記連結部の空間に、前記構造体の上下方向および幅方向にわたって設けられる熱流動性遮水材と、前記熱流動性遮水材を加熱する加熱手段とを更に備えることを特徴とする遮水構造を備えた連結構造物を提供する。
第１２の手段において、前記熱流動性遮水材は、前記構造体の前記連結部の前記空間を前記構造体の上下方向及び幅方向にわたって設けられる。前記熱流動性遮水材は、前記構造体が端面に切欠き部を備えている場合は非切欠き部に挟まれる前記空間に設けることができる。前記加熱手段として、通電により発熱する加熱材を前記熱流動性遮水材に埋設することができる。
【００３３】
前記熱流動性遮水材は、常温においては外力により形状が変化し、高温においては流動性を有するものであり、融点が低い材料が好ましい。前記熱流動性遮水材として、例えばアスファルトマスチックを用いることができる。
【００３４】
前記第１２の手段の遮水構造を備えた連結構造物によれば、前記遮水構造の一部が破損して前記構造物の連結部に隙間が生じた場合は、前記加熱手段によって前記熱流動性遮水材を加熱して流動化させる。流動化した前記熱流動性遮水材は前記連結部に生じた隙間を埋めるので、遮水構造の一部が破損した場合であっても正常な遮水機能が保持される。
【発明の効果】
【００３５】
（１）請求項１の発明によれば、連結構造体の遮水構造を、複数の構造体を幅方向に順次に連結して水域と水域の間または水域と他の領域の間に設けられる遮水構造を備えた連結構造物であって、連結部において隣り合う前記構造体の連結部の空間に充填された不透水性充填材と、同構造体の厚さ方向での同空間の両端において隣り合う前記構造体の側壁を連結して設置された側面密封部とを備えてなるように構成したので、不透水性充填材により遮水がなされるとともに、側面密封部の撓み変形によって、構造体同士の厚さ方向の相対変位が吸収され、不透水性充填材が側壁側から漏洩することはなく、連結部の連結機能および遮水機能が正常に保持される。連結構造物の構造体に不等沈下、傾斜、側方移動等が生じても、これらの相対変位または移動を吸収、許容し、正常な連結機能および遮水機能を保持することができ、海水汚染等遮水機能低下の影響の問題を防止することができる。
【００３６】
（２）請求項２の発明によれば、請求項１に記載の遮水構造を備えた連結構造物において、前記側面密封部の外側を覆う補助密封部にたるみを持たせて設置してなるように構成したので、請求項１の発明の効果に加え、構造体が大きく相対変位または移動し連結部の側面密封部が破損した場合も、側面密封部を覆って補助密封部にたるみを持たせて設置しているため、不透水性充填材が外部の水域または他の領域側へ漏洩することはなく、遮水機能は正常に保持される。
【００３７】
（３）請求項３の発明によれば、請求項１または請求項２に記載の連結構造体の遮水構造において、前記連結部において隣り合う前記構造体の互いに対向する両端面にそれぞれ平板を上下方向に延在させ複数配列して取り付け、前記両端面の平板同士を交互に緩くかみ合わせ、前記構造体の上下方向および幅方向の変位は許容し、厚さ方向の変位は拘束するように構成された係止部を備えてなるように構成したので、請求項１または請求項２の発明の効果に加え、構造体の上下方向および幅方向の変位は許容し、厚さ方向の変位は拘束するが、係止部の平板の弾性変形、さらには塑性変形能力によって構造体同士の厚さ方向の相対変位が吸収され、連結部の連結機能および遮水機能が正常に保持される。連結構造物の構造体に不等沈下、傾斜、側方移動等が生じても、これらの相対変位または移動を吸収、許容し、正常な連結機能および遮水機能を保持することができ、海水汚染等遮水機能低下の影響の問題を防止することができる。
【００３８】
（４）請求項４の発明によれば、請求項３に記載の遮水構造を備えた連結構造物において、前記係止部を構成する平板は、その下端部を水底中に貫入させ、前記各構造体毎に他方の端面の平板の下端部と同構造体の底部を巡って接続し同構造体外周にＵ字状に取り付けられてなるように構成したので、請求項３の発明の効果に加え、係止部を構成する平板はその下端部が、各構造体毎に他方の端面の平板の下端部と構造体の底部を巡って接続しＵ字状に取り付けられているため、構造体底部での漏水が防止される。
【００３９】
（５）請求項５の発明によれば、請求項３または請求項４に記載の遮水構造を備えた連結構造物において、前記係止部が、前記平板に代えて渦巻状に巻いた板材を、巻き中心方向を上下方向に配向し前記構造体の互いに対向する両端面にそれぞれ巻きの後端辺で取り付けて、対向する端面の同板材同士を緩くかみ合わせ、同構造体の上下方向の変位は許容し、同構造体の幅方向および厚さ方向の変位は拘束するように構成されてなるように構成したので、請求項３または請求項４の発明の効果において、前記連結部の平板の効果に代えて、係合部の板材によって、構造体同士が厚さ方向または幅方向に相対変位した場合、いずれも板材が接触して弾塑性変形し、また、構造体が不等沈下した場合は板材同士が自由に相対変位し、構造体の各方向の相対変位量が吸収され、変位を許容するとともに漏水を阻止することができる。また、側面密封部、補助密封部は同様に効果を奏し、これにより、遮水構造は正常な連結機能および遮水機能を保持することができる。
【００４０】
（６）請求項６の発明によれば、請求項３または請求項４に記載の遮水構造を備えた連結構造物において、前記係止部が、前記平板に代えて前記端面とともにＳ字状をなすように巻いた板材を、巻き中心方向を上下方向に配向し前記構造体の互いに対向する両端面にそれぞれ巻きの後端辺で取り付けるとともに、同板材と対向する側の端面に同板材の先端と相対する係止板をそれぞれ取り付け、対向する端面の同板材同士を緩くかみ合わせ、同構造体の上下方向の変位は許容し、同構造体の幅方向および厚さ方向の変位は拘束するように構成されてなるように構成したので、請求項３または請求項４の発明の効果において、前記連結部の平板の効果に代えて、係合部の板材によって、構造体同士が幅方向に離反するように変位した場合、各板材の先端は対応する係止板と引っ掛かり接触して変形し、構造体同士が幅方向に接近するように変位した場合、各板材の先端近傍は相手側端面に押し当てられるか、先端が対応する係止板と接触して変形して、構造体の幅方向の変位を許容するとともに、漏水を阻止し、厚さ方向の移動の場合にも各板材の先端と係止板とがそれぞれ接触して変形し、変位を許容するとともに漏水を阻止することができる。また、側面密封部、補助密封部は同様の効果を奏し、これにより、遮水構造は正常な連結機能および遮水機能を保持することができる。
【００４１】
（７）請求項７の発明によれば、請求項１ないし請求項６のいずれかに記載の遮水構造を備えた連結構造物において、前記不透水性充填材が充填された前記空間に生じた空隙を充填する補充液のタンクを備えてなるように構成したので、請求項１ないし請求項６いずれかの発明の効果に加え、構造体同士が大きく相対変位して構造体間の空間の容積が大きくなり、不透水性充填材が不足して空隙が生じた際は、タンク内の補充液を放出して空隙を満杯に補充し、連結部の空間内のヘッドが構造体両側の水域のヘッドより高く確保されるため、遮水性が向上する。
【００４２】
（８）請求項８の発明によれば、請求項１または請求項２に記載の遮水構造を備えた連結構造物において、前記連結部の空間に、前記構造体の上下方向および幅方向にわたって設けられる遮水部材を更に備えるように構成したので、請求項１または請求項２の発明の効果に加えて、前記側面密封部が破損した場合でも、前記遮水部材によって水の浸入が妨げられ、正常な遮水機能が保持される。前記遮水部材が可撓性を有すると、前記構造体の不等沈下、傾斜、側方移動等による前記構造体の相対変位または移動を吸収、許容して正常な連結機能および遮水機能が保持できる。
【００４３】
（９）請求項９の発明によれば、請求項８に記載の遮水構造を備えた連結構造物において、前記構造体は前記端面に切欠き部を備え、前記遮水部材の前記端部は前記切欠き部に設けられるように構成したので、請求項８に記載の遮水構造を備えた連結構造物における前記遮水部材の作用を保ったままで、前記連結部の前記空間の幅を前記遮水部材の幅より縮小することができ、水の浸入や、前記不透水性充填材の漏洩を少量に留めることができ、遮水性が向上する。
【００４４】
（１０）請求項１０の発明によれば、請求項８または請求項９に記載の遮水構造を備えた連結構造物において、前記遮水部材が波形板であるように構成した。前記波形板は幅方向の圧縮や曲げを吸収しやすく、前記構造体の不等沈下、傾斜、側方移動等により生じる前記構造体の相対変位または移動を吸収、許容する能力が高いので、請求項８または請求項９に記載の発明の効果を更に高めることができる。
【００４５】
（１１）請求項１１の発明によれば、請求項１０に記載の遮水構造を備えた連結構造物において、前記波形板が前記切欠き部に納められている部分に強度弱小部を備えるように構成したので、前記遮水部材が破損する時は前記強度弱小部が破損する。このとき、浸入する水は前記切欠き部を移動することになり移動経路が長くなるため水の浸入を遅らせることができ、請求項１０の発明の効果に加えて、さらに遮水性が向上する。
【００４６】
（１２）請求項１２の発明によれば、請求項１ないし請求項１１のいずれかに記載の遮水構造を備えた連結構造物において、前記連結部の空間に、前記構造体の上下方向および幅方向にわたって設けられる熱流動性遮水材と、前記熱流動性遮水材を加熱する加熱材とを更に備えるように構成した。前記熱流動性遮水材は、常温においては外力により形状が変化するので連結部の空間への水の浸入を妨げ、高温においては流動性を有するので、前記遮水構造の一部が破損して前記構造物の連結部に隙間が生じた場合は、前記加熱手段によって前記熱流動性遮水材を加熱して流動化させ、隙間を埋めることができ、遮水機能が正常に保持される。
【発明を実施するための最良の形態】
【００４７】
図１に基づき、本発明の実施の第１形態に係る遮水構造を備えた連結構造物を説明する。図１は、前述の図２０中Ｄ−Ｄ矢視に相当する本実施の形態の遮水構造を備えた連結構造物の構成を示す平面断面図である。本実施例の連結構造物は水域Ｓ１と水域Ｓ２との間に設けられるものである。
【００４８】
図１に示すように、本実施の形態の連結構造物１００の遮水構造は、単位となる構造体のケーソン１とケーソン１との連結部１２に設置され、連結機能および遮水機能を備えている。連結部１２の遮水構造は、対向するケーソン１の端面１ａ、１ｂ間の空間１２ａに充填された不透水性充填材（たとえば透水係数の小さい粘性土）１４と、ケーソン１同士を連結すると共にその間の相対変形を許容して、不透水性充填材１４が連結部１２の側方から漏洩するのを防止するよう、ケーソン１の厚さ方向Ｚでの空間１２ａの両端において隣り合うケーソン１の両側壁１ｃを連結して設置された鋼板、ゴムシートなどからなる側面密封部１５と、さらに、この側面密封部１５の外側全体を覆うようにたるみを持たせて設置された、たとえばゴムシート、伸縮性の大きい材料などからなる補助密封部１６などで構成されている。（ここで「厚さ方向Ｚ」とは、ケーソン１が順次連結される方向Ｘに垂直な水平方向である。）
【００４９】
上記のような本実施の形態の連続構造物の遮水構造においては、ケーソン１同士が、図２の矢印Ｚ方向（厚さ方向）に相対変位した場合、図１に示す連結部１２の両側壁１ｃに設置した側面密封部１５の撓み変形によってケーソン１同士の厚さ方向Ｚの相対変位が吸収され、連結部１２の空間１２ａ内に充填された不透水性充填材１４が側壁１ｃ側から漏洩することはなく、連結部１２の連結機能および遮水機能は正常に保持される。
【００５０】
ケーソン１同士は、図１の矢印Ｘ方向（ケーソン１が順次連結される方向、すなわち「幅方向」）に自由に移動可能であり、側面密封部１５の撓み変形によってケーソン１同士の幅方向Ｘの相対変位が吸収され、連結部１２の連結、遮水機能は正常に保持される。
【００５１】
また、ケーソン１が図２２（ａ）に示すように不等沈下した場合は、ケーソン１同士は上下方向Ｙに自由に移動可能であり、上記同様、連結部１２の連結、遮水機能は正常に保持される。この他、図２２（ｂ）に示すような傾斜に伴う相対変位や移動に対しても、遮水構造は上記同様の作用を発揮し、連結部１２の連結、遮水機能は正常に保持される。
【００５２】
ケーソン１が大きく相対変位または移動し、万一、連結部１２の両側壁１ｃに設置した側面密封部１５が破損した場合、連結部空間１２ａ内から不透水性充填材１４が漏洩する恐れがあるが、側面密封部１５の外側全体を覆って伸縮性の大きい補助密封部１６にたるみを持たせて設置しているので、不透水性充填材１４が外部の海水側へ漏洩することはなく、遮水機能は正常に保持される。
【００５３】
さらに万一、補助密封部１６が破損するという事態が生じ、連結部空間１２ａ内に海水が浸入した場合でも、充填された不透水性充填材１４は透水性が非常に悪いため、海水が空間内を通過するのに多大の時間を要し、その間に破損部分の補修を行うことができるので、海水汚染等の影響を防止することができる。
【００５４】
このように、本実施の形態の遮水構造を備えた連結構造物によると、対向するケーソン１同士の連結部１２の空間１２ａ内には不透水性充填材１４を充填し、ケーソン１の連結部側壁１ｃには側面密封部１５を設置し、さらに側面密封部１５の外側を覆って補助密封部１６を設置したので、ケーソン連結構造に不等沈下、傾斜、側方移動等が生じても、これらの相対変位または移動を吸収、許容し、正常な連結機能および遮水機能を保持することができ、海水汚染等の影響を防止することができるという効果がある。
【００５５】
図２から図６に基づき、本発明の実施の第２形態に係る遮水構造を備えた連結構造物を説明する。図２は、前述の図２０中Ｄ−Ｄ矢視に相当する本実施の形態の遮水構造を備えた連結構造物の構成を示す平面断面図、図３および図４は、図２中Ｅ部の拡大図であり、本実施の形態の遮水構造を備えた連結構造物の作用説明図、図５は、図２中Ｆ−Ｆ矢視による、前述の図２２（ａ）、（ｂ）と同様範囲の立面断面図である。図６は、本実施の形態の遮水構造を備えた連結構造物における係止部の変形例の説明図であり、図３、４に対応する拡大図である。本実施例の連結構造物は水域Ｓ１と水域Ｓ２との間に設けられるものである。
【００５６】
図２に示すように、本実施の形態の連結構造物１００の遮水構造は、単位となる構造体のケーソン１とケーソン１との連結部１２に設置され、連結機能および遮水機能を備えている。すなわち、対向する一方のケーソン１の端面１ａに複数の平板１３ａを、他方のケーソン１の端面１ｂに複数の平板１３ｂを、それぞれケーソン１の上下方向（海域の深さ方向）Ｙの全長に亘って延在させて配列して端面１ａ、１ｂに垂直に立設し、各平板１３ａと１３ｂとを交互に緩くかみ合わせた係止部１３を形成して、ケーソン１の上下方向Ｙおよび幅方向Ｘの移動は許容し、厚さ方向Ｚの移動は拘束するように構成している。（ここで「厚さ方向Ｚ」とは、ケーソン１が順次連結される方向Ｘに垂直な水平方向である。）
【００５７】
連結部１２の遮水構造は、上記係止部１３と、係止部１３を含む対向する端面１ａ、１ｂ間の空間１２ａに充填された不透水性充填材（たとえば透水係数の小さい粘性土）１４と、ケーソン１同士を連結すると共にその間の相対変形を許容して、不透水性充填材１４が連結部１２の側方から漏洩するのを防止するよう、空間１２ａの前記厚さ方向Ｚ両端において隣り合うケーソン１の両側壁１ｃを連結して設置された鋼板、ゴムシートなどからなる側面密封部１５と、さらに、この側面密封部１５の外側全体を覆うようにたるみを持たせて設置された、たとえばゴムシート、伸縮性の大きい材料などからなる補助密封部１６などで構成されている。
【００５８】
係止部１３を構成する平板１３ａおよび１３ｂは、図５に示すように、そのそれぞれの下端部１７ａ、１７ｂを海底Ｇｓ中に貫入させており、さらに各ケーソン１毎に他方の端面の平板の下端部とケーソン１の底部を巡って接続し、ケーソン１外周にＵ字状に取り付けられる。
【００５９】
なお、図２では、係止部１３をケーソン厚さ方向Ｚに３組を設置した場合を示したが、その設置組数は特にそれに限定されるものではない。
【００６０】
また、係止部１３を構成する平板１３ａ、１３ｂを、ケーソン端面１ａ、１ｂに対して垂直に取り付けた場合を示したが、図６に示すように、連結部１２においてケーソン端面１ａ、１ｂに対して所定の角度に傾斜させて取り付けた平板２３ａ、２３ｂを設けて交互に緩くかみ合わせた係止部２３を形成してもよい。
【００６１】
上記のような本実施の形態の連続構造物の遮水構造においては、ケーソン１同士が、図３の矢印Ｚ方向（厚さ方向）に相対変位した場合、係止部１３の平板１３ａと１３ｂとが接触するが、その際、平板１３ａ、１３ｂの弾性変形によって相対変位が吸収され、相対変位量がさらに大きくなった場合には、平板の塑性変形能力によって相対変位が吸収され、また図２に示す連結部１２の両側壁１ｃに設置した側面密封部１５の撓み変形によってケーソン１同士の厚さ方向Ｚの相対変位が吸収され、連結部１２の空間１２ａ内に充填された不透水性充填材１４が側壁１ｃ側から漏洩することはなく、連結部１２の連結機能および遮水機能は正常に保持される。
【００６２】
ケーソン１同士は、図４の矢印Ｘ方向（幅方向）に自由に移動可能であり、側面密封部１５の撓み変形によってケーソン１同士の幅方向Ｘの相対変位が吸収され、連結部１２の連結、遮水機能は正常に保持される。
【００６３】
また、ケーソン１が図２２（ａ）に示すように不等沈下した場合は、ケーソン１同士は上下方向Ｙに自由に移動可能であり、上記同様、連結部１２の連結、遮水機能は正常に保持される。この他、図２２（ｂ）に示すような傾斜に伴う相対変位や移動に対しても、遮水構造は上記同様の作用を発揮し、連結部１２の連結、遮水機能は正常に保持される。
【００６４】
上記相対変位や移動に伴ってケーソン１の底部が多少海底Ｇｓより浮き上がった場合でも、係止部１３の平板１３ａ、１３ｂの下端部１７ａ、１７ｂを海底Ｇｓ中に貫入させて、さらに各ケーソン１毎に他方の端面の平板の下端部とケーソン１の底部を巡って接続し、ケーソン１外周にＵ字状に取り付けられているので、ケーソン１底部からの漏水はなく、遮水機能は正常に保持される。
【００６５】
ケーソン１が大きく相対変位または移動し、万一、連結部１２の両側壁１ｃに設置した側面密封部１５が破損した場合、連結部空間１２ａ内から不透水性充填材１４が漏洩する恐れがあるが、側面密封部１５の外側全体を覆って伸縮性の大きい補助密封部１６にたるみを持たせて設置しているので、不透水性充填材１４が外部の海水側へ漏洩することはなく、遮水機能は正常に保持される。
【００６６】
さらに万一、補助密封部１６が破損するという事態が生じ、連結部空間１２ａ内に海水が浸入した場合でも、充填された不透水性充填材１４は透水性が非常に悪いため、海水が空間内を通過するのに多大の時間を要し、その間に破損部分の補修を行うことができるので、海水汚染等の影響を防止することができる。
【００６７】
このように、本実施の形態の遮水構造を備えた連結構造物によると、対向するケーソン１の端面１ａ、１ｂに、平板１３ａ、１３ｂを上下方向Ｙに延在するように立設して複数配列して各平板１３ａと平板１３ｂとを交互に緩くかみ合わせた係止部１３を設け、ケーソン１の上下（深さ）方向Ｙおよび幅方向Ｘの移動は許容し、厚さ方向Ｚの移動は拘束するように構成し、ケーソン１同士の連結部１２の空間１２ａ内には不透水性充填材１４を充填し、係止部１３を構成する平板１３ａ、１３ｂは、その下端部１７ａ、１７ｂを海底Ｇｓ中に貫入させて、各ケーソン１毎に他方の端面の平板の下端部とケーソン１の底部を巡って接続し、ケーソン１外周にＵ字状に取り付け、ケーソン１の連結部側壁１ｃには側面密封部１５を設置し、さらに側面密封部１５の外側を覆って補助密封部１６を設置したので、ケーソン連結構造に不等沈下、傾斜、側方移動等が生じても、これらの相対変位または移動を吸収、許容し、正常な連結機能および遮水機能を保持することができ、海水汚染等の影響を防止することができるという効果がある。
【００６８】
図７に基づき本発明の実施の第３形態に係る遮水構造を備えた連結構造物を説明する。図７は、本実施の形態の遮水構造を備えた連結構造物の要部である係止部の説明図であり、前述の図３、図４と同様範囲を示す。本実施の形態は、前記の実施の第２形態に対して連結部の係止部の構造が異なる他、他は同様であるので、異なる点を主に以下説明する。
【００６９】
図７に示すように、本実施の形態の連結部３２における係止部３３は、対向するケーソン１の各端面１ａおよび１ｂにおいてそれぞれ、渦巻状に形成した板材３３ａおよび３３ｂを、巻き中心方向を上下方向Ｙに配向しその巻き終端辺をケーソン１の上下方向（深さ方向）Ｙの全長に亘って取り付けて、両板材３３ａ、３３ｂ同士を緩くかみ合わせたものである。
【００７０】
それによって、ケーソン１の上下方向Ｙの移動は許容し、厚さ方向Ｚおよび幅方向Ｘの移動は拘束するように構成したもので、実施の第２形態と同様、係止部３３を含む連結部３２において、対向するケーソン１の端面１ａ、１ｂ間の空間３２ａには、不透水性充填材１４が充填され、ケーソンの両側壁１ｃには側面密封部１５およびこの側面密封部１５の外周には補助密封部１６が設置される。
【００７１】
係止部３３を構成する平板３３ａ、３３ｂは、その下端部を海底Ｇｓ中に貫入させて、さらに各ケーソン１毎に他方の端面の平板の下端部とケーソン１の底部を巡って接続し、ケーソン１の外周にＵ字状に取り付ける点は、実施の第１形態と同様である。
【００７２】
本実施の形態の遮水構造を備えた連結構造物によれば、ケーソン１同士が厚さ方向（図３矢印Ｚ方向）または幅方向（図４矢印Ｘ方向）に相対変位した場合、いずれも板材３３ａ、３３ｂが接触して弾塑性変形し、また、ケーソン１が不等沈下した場合は板材３３ａ、３３ｂ同士が自由に相対変位し、これによってケーソン１の各方向の相対変位量が吸収され、側面密封部１５および補助密封部１６も上記同様に作用し、これにより、遮水構造は正常な連結機能および遮水機能を保持することができるという効果がある。
【００７３】
図８および図９に基づき、本発明の実施の第４形態に係る遮水構造を備えた連結構造物を説明する。図８は、本実施の形態の遮水構造を備えた連結構造物の要部である係止部の説明図であり、前述の図３、図４と同様範囲を示す。図９は、本実施の形態の係止部の作用説明図であり、（ａ）はケーソン同士が幅方向Ｘで離れるとき、（ｂ）は幅方向Ｘで近づくときを示す。また、本実施の形態は、前記の実施の第２形態に対して連結部の係止部の構造が異なる他、他は同様であるので、異なる点を主に以下説明する。
【００７４】
図８に示すように、本実施の形態の連結部４２の係止部４３は、対向するケーソン１の各端面１ａおよび１ｂに、それぞれ、各端面も合わせてＳ字状になるように巻いて形成した板材４３ａおよび４３ｂを、巻き中心方向を上下方向Ｙに配向し、巻きの後端辺をケーソン１の上下方向（深さ方向）Ｙの全長に亘って取り付けるとともに、板材４３ａ、４３ｂに対向する側の端面１ｂ、１ａに板材４３ａ、４３ｂの先端ａ、ｂと相対する係止板４３ｄ、４３ｃをそれぞれ取り付けている。そして、両板材４３ａ、４３ｂ同士を緩くかみ合わせ、ケーソン１の上下方向Ｙの移動は許容し、幅方向Ｘおよび厚さ方向Ｚの移動は拘束するように構成したもので、実施の第２形態同様、係止部４３を含む連結部４２の対向するケーソン１の端面１ａ、１ｂ間の空間４２ａには、不透水性充填材１４が充填され、ケーソンの両側壁１ｃには側面密封部１５およびこの側面密封部１５の外周には補助密封部１６が設置される。
【００７５】
係止部４３を構成するＳ字状板材４３ａ、４３ｂは、その下端部を海底Ｇｓ中に貫入させて、さらに各ケーソン１毎に他方の端面の平板の下端部とケーソン１の底部を巡って接続し、ケーソン１の外周にＵ字状に取り付ける点は、実施の第２形態と同様である。
【００７６】
本実施の形態の遮水構造を備えた連結構造物によれば、図９（ａ）に示すように、ケーソン１同士が幅方向Ｘに離反するように変位した場合、板材４３ａの先端辺ａは係止板４３ｄと、板材４３ｂの先端辺ｂは係止板４３ｃとそれぞれ引っ掛かり接触して変形し、ケーソン１の幅方向Ｘの変位を許容するとともに、その接触点によって漏水を阻止することができる。
【００７７】
また図９（ｂ）に示すように、ケーソン１同士が幅方向Ｘに接近するように変位した場合、板材４３ａの先端近傍は相手側端面１ｂに押し当てられるか、上記同様、先端ａが係止板４３ｄと接触し、板材４３ｂの先端ｂ近傍は相手側端面１ａに押し当てられるか、先端ｂが係止板５３ｃと接触して変形し、ケーソン１の幅方向Ｘの変位を許容するとともに、上記接触点によって漏水を阻止することができる。
【００７８】
また、ケーソン１が厚さ方向Ｚに移動した場合にも、上記同様、板材４３ａ、４３ｂの先端と係止板５３ｄ、５３ｃとがそれぞれ接触して変形し、ケーソン１の厚さ方向Ｚの変位を許容するとともに、上記接触点によって漏水を阻止することができる。
【００７９】
これにより、遮水構造は正常な連結機能および遮水機能を保持することができるという効果がある。その他の作用・効果は実施の第２形態と同様である。
【００８０】
図１０および図１１に基づき、本発明の実施の第５形態に係る遮水構造を備えた連結構造物を説明する。図１０は、図５と同様の方向の断面で示す本実施の形態の遮水構造を備えた連結構造物の補充液用タンクの説明図であり、図１１は、図１０中Ｇ−Ｇ矢視による断面図である。本実施の形態は、前述の実施の第１形態から第４形態の遮水構造を備えた連結構造物に、補充液用のタンク５１を加え設置し、その機能向上を図ったものであり、他は前述の実施の形態と同様であるので、実施の第１形態または第２形態に基づく場合を例に、異なる点を主に以下説明する。なお、他の前述の実施の形態に基づく場合も同様である。
【００８１】
図１０と図１１に示すように、本実施の形態は、ケーソン１とケーソン１との連結部１２の上方に、補充液（水または他の液体または流動性材料）５０が貯留されたタンク５１を設置したもので、ケーソン１同士が大きく相対変位してケーソン１間の空間１２ａの容積が大きくなり、不透水性充填材１４が不足して空隙ｖが生じた際、遮水機能が低下する恐れがある。そのような場合に、タンク５１の排水口５１ａの図示しない弁を操作し、タンク５１内の補充液５０を放出して上記空隙ｖを満杯に補充するものである。
【００８２】
なお、本実施の形態の場合、不透水性充填材１４が充填されたケーソン１の連結部１２の空間１２ａを、前もって水または補充液５０または同質の液体を充満させて飽和状態にしておくものとする。
【００８３】
ケーソン１同士が大きく２点鎖線で示すように相対変位し、図１０に示すように、ケーソン１間の空間１２ａに空隙ｖが生じた場合に、排水口５１ａを開き、補充液５０を放出して空隙ｖを埋め空間１２ａ内を満水させる。
【００８４】
このように空間１２ａ内が満水状態になると、図１１に示すように、連結部１２の空間１２ａ内のヘッドｈａがケーソン１両側の海域Ｓ１のヘッドｈ１および海域Ｓ２のヘッドｈ２より高く確保されるため、海域Ｓ１から海域Ｓ２へ、またはその逆方向への海水の浸透が起こり難くなり、遮水性が向上するという効果がある。
【００８５】
図１２に基づき、本発明の実施の第６形態に係る遮水構造を備えた連結構造物を説明する。本実施例の連結構造物は水域Ｓ１と水域Ｓ２との間に設けられるものである。図１２は、前述の図２０中Ｄ−Ｄ矢視に相当する本実施の形態の遮水構造を備えた連結構造物の構成を示す平面断面図である。
【００８６】
図１２において、本実施の形態の遮水構造を備えた連結構造物は、隣り合うケーソン１の間の連結部１２に設置される。連結部１２の遮水構造は、遮水部材としての波形鋼板１８と、対向する端面１ａ、１ｂ間の空間１２ａに充填された不透水性充填材（たとえば透水係数の小さい粘性土）１４と、空間１２ａの前記厚さ方向Ｚ両端において隣り合うケーソン１の両側壁１ｃを連結して設置された鋼板、ゴムシートなどからなる側面密封部１５とを備えている。上記波形鋼板１８は、空間１２ａにケーソン１の幅方向（Ｚ方向）および上下方向（Ｙ方向）にわたって設けられる。波形鋼板１８の端部はケーソン１の端面１ａ、１ｂに接合されている。波形鋼板１８は薄い波型の鋼板で、Ｘ、Ｙ、Ｚ各方向に可撓性を有している。
【００８７】
本実施の形態の遮水構造を備えた連結構造物においては、側面密封部１５は、実施の第１形態における側面密封部１５と同様に、図１２中の矢印Ｘ、Ｙ、Ｚの各方向に相対変位した場合にその相対変位を吸収し、連結部１２の連結機能と遮水機能を正常に保持する。本実施形態の不透水性遮水材１４は実施の第１形態における不透水性遮水材と同様に連結部の空間に水が侵入した場合でもその浸入を遅らせる。本実施の形態の遮水構造は、更に遮水部材として波形鋼板１８を備えている。波形鋼板１８は空間１２ａのＸ方向およびＹ方向にわたって設けられており、鋼板であるため水を透過しないので、万一水が連結部１２に浸入した場合でも水の浸入を波形鋼板１８までに留め、他の水域への汚染水の漏洩を防止することができる。また、波形鋼板１８は薄い波型の鋼板で可撓性があり、ケーソン１同士の図１２中の矢印Ｘ、Ｙ、Ｚの各方向の相対変位を吸収することができるため、ケーソン１同士が相対変位または移動した場合であっても水の浸入を防ぐことができる。
【００８８】
上記の通り、本実施形態の遮水構造を備えた連結構造物によれば、空間１２ａにケーソン１の幅方向および高さ方向にわたって波形鋼板１８を設置したので、前記側面密封部１５が破損した場合でも水の浸入が妨げられ、正常な遮水機能が保持される。
【００８９】
図１３から図１６に基づき、本発明の実施の第7形態に係る遮水構造を備えた連結構造物を説明する。本実施例の連結構造物は水域Ｓ１と水域Ｓ２との間に設けられるものである。図１３は前述の図２０中Ｄ−Ｄ矢視に相当する本実施の形態の遮水構造を備えた連結構造物の構成を示す平面断面図、図１４は図１３中Ｉ部の拡大図、図１５は図１４中Ｊ部の拡大図、図１６は本実施形態の遮水構造を備えた連結構造物の作用説明図である。
【００９０】
図１３に示すように、本実施形態の遮水構造は、側面密封部１５と、不透水性遮水材１４と、遮水部材としての波形鋼板１８とを備えている。本実施形態の遮水構造において、連結されるケーソン１の端面１ａ、１ｂには切欠き部１ｄが設けられている。切欠き部１ｄは端面１ａ、１ｂの対向する場所に、ケーソン１のＹ方向にわたって設けられている。波形鋼板１８は実施の第６形態と同様に、薄い波型の鋼板で、Ｘ、Ｙ、Ｚ各方向に可撓性を有している。側面密封部１５は実施の第１形態と同様に隣り合うケーソン１同士の両側壁１ｃを連結して設置されている。不透水性遮水材１４は、空間１２ａに充填され、切欠き部１ｄにも充填されている。波形鋼板１８はその端部が切欠き部１ｄに収められるように設けられており、波形鋼板１８の端部は切欠き部１ｄの底部に接合されている。図１４に示すように、波形鋼板１８は接合材１９を介して切欠き部１ｄの底部に接合されている。波形鋼板１８は、図１５に示すように、ケーソン１との接合部に近い部分に強度弱小部１８ａを備えている。
【００９１】
本実施形態の連結構造物の側面密封部１５、不透水性遮水材１４、波形鋼板１８は実施の第６形態の１５、１４、１８と同様の作用を奏する。さらに、本実施形態の遮水構造において、ケーソン１に切欠き部１ｄが設けられて波形鋼板１８のＸ方向の両端が切欠き部１ｄに納められるので、実施の第６形態と同じ大きさの波形鋼板１８を用いながら連結部１２の空間１２ａの幅を縮小することができる。空間１２ａの幅が縮小すると、水域から連結部１２への水の浸入、および万一水が連結部１２へ浸入した場合の水の拡散を抑えることができる。そのため、本実施形態の遮水構造は、実施の第６形態の遮水構造と同様にケーソン１同士の相対変位または移動を吸収して連結機能および遮水機能を維持する効果に加え、更に水や不透水性充填材の漏洩量を少量に留めることができる。
【００９２】
本実施形態の遮水構造において、万一側面密封部１５と波形鋼板１８が破損した場合は不透水性遮水材１４が水の漏洩を防止する。しかし、この場合に、図１６に示すように波形鋼板１８の中央部ａ点が破損すると、水は図１６中の実線矢印のように切欠き部１ｄを通過することなく空間１２ａの中央部を浸入し、短時間で波板鋼板１８を通過してしまう。本実施の形態において、波形鋼板１８はケーソン１との接合部に近いｂ点に強度弱小部１８ａを設けられることによって、過大な外力を受けた場合はまずｂ点が破損するようになっている。このとき水は図１６中の一点鎖線矢印のように切欠き部１ｄの底部付近まで侵入しなければ波形鋼板１８を通過できず、空間１２ａを通過するのに比較的長時間を要するので、水の漏洩を遅延させることができる。
【００９３】
本実施形態の遮水構造によれば、波形鋼板１８の端部がケーソン１の端面１ａ、１ｂに設けられた切欠き部１ｄに接合されるので、という波形鋼板１８の作用を保ったままで空間１２ａの幅を縮小し、水の浸入や不透水性遮水材１４の漏洩を少量に留めることができ、遮水構造の遮水機能が維持される。さらに、本実施形態の遮水構造は、波形鋼板１８がケーソン１との接合部の近くに強度弱小部１８ａを備えているため、波形鋼板１８が破損する時は強度弱小部１８ａが破損することとなり、浸入する水の経路を長くして水の浸入を遅延させることができ、遮水性を向上させることができる。
【００９４】
図１７および図１８に基づき、本発明の実施の第８形態に係る遮水構造を備えた連結構造物を説明する。図１７は前述の図２０中Ｄ−Ｄ矢視に相当する本実施の形態の遮水構造を備えた連結構造物の構成を示す平面断面図、図１８は本実施の形態のアスファルトマスチックと加熱装置の構成を示す図である。
【００９５】
図１７に示すように、本実施形態の遮水構造は、側面密封部１５と、不透水性遮水材１４と、遮水部材としての波形鋼板１８と、熱流動性遮水材としてのアスファルトマスチック６０とを備えている。実施の第７形態と同様に、ケーソン１の端面１ａ、１ｂには切欠き部１ｄが設けられている。端面１ａ、１ｂのうち切欠き部１ｄが設けられていない部分である非切欠き部には、アスファルトマスチック６０が上下方向（Ｙ）および幅方向（Ｘ）にわたって、端面１ａ、１ｂの両方に接するように設けられている。アスファルトマスチック６０は常温において外力に応じて形状が変化する性質と不透水性と有する。アスファルトマスチック６０には、アスファルトマスチック６０を加熱する加熱装置の一部である加熱棒６１が埋設されている。加熱棒６１は通電により発熱する材料で構成されている。アスファルトマスチック６０の加熱装置は、加熱棒６１、ケーブル６２、電源６３を備えて構成されており、図１８に示すように加熱棒６１はケーブル６２によって電源６３に接続されている。
【００９６】
本実施形態の遮水構造の側面密封部１５、不透水性遮水材１４、波形鋼板１８、切欠き部１ｄは実施の第６形態の側面密封部１５、不透水性遮水材１４、波形鋼板１８、切欠き部１ｄと同様の作用を奏する。本実施の形態において、アスファルトマスチック６０は連結部１２の空間１２ａに水が浸入した場合には水の浸入を防ぎ、不透水性遮水材１４の漏洩も防ぐ作用も奏する。
【００９７】
本実施形態の遮水構造において、万一側面密封部１５や波形鋼板１８が破損し、連結部１２の空間１２ａが拡大し隙間が生じた場合は、電源６３からケーブル６２を介して加熱棒６１に電力を供給し、加熱棒６１からの発熱によってアスファルトマスチック６０を流動化させる。流動化したアスファルトマスチック６０は、連結部１２に生じた隙間を埋めて水の浸入や不透水性遮水材１４の漏洩を防止する。
【００９８】
本実施形態の遮水構造によれば、ケーソン１の連結部１２の空間１２ａにおいて熱流動性遮水材であるアスファルトマスチック６０が両端面１ａ、１ｂに接するように設けられているので、水の浸入や不透水性遮水材１４の漏洩を妨げることができ、遮水機能を向上させることができる。さらに、遮水構造の一部が破損してケーソン１の連結部１２に隙間が生じた場合であっても、アスファルトマスチック６０を加熱して流動化させることによって生じた隙間を埋めることができ、遮水機能を保持することができる。
【００９９】
図１９に基づき、本発明の実施の第９形態に係る遮水構造を備えた連結構造物を説明する。図１９は、図２０中Ｄ−Ｄ矢視に相当する本実施の形態の遮水構造を備えた連結構造物の構成を示す平面断面図である。本実施例の連結構造物は水域Ｓ１と水域Ｓ２との間に設けられるものである。
【０１００】
本実施形態の遮水構造は、実施の第１形態の遮水構造に更に熱流動性遮水材を備えたものであり、図１９に示すように、本実施形態の遮水構造は、側面密封部１５と、不透水性遮水材１４と、補助密封部１６と、熱流動性遮水材としてのアスファルトマスチック６０とを備えている。アスファルトマスチック６０は、空間１２ａに、ケーソン１の上下方向（Ｙ）および幅方向（Ｘ）にわたって、ケーソン１の端面１ａ、１ｂの両方に接するように設けられている。実施の第８形態と同様に、アスファルトマスチック６０には加熱装置の一部である加熱棒６１が埋設されている。加熱棒６１は実施の第８形態と同様にケーブル６２と電源６３を備えた加熱装置によって加熱される。
【０１０１】
側面密封部１５、不透水性遮水材１４、補助密封部１６は、実施の第１形態における１５、１４、１６と同様の作用を奏する。アスファルトマスチック６０および加熱装置は実施の第８形態におけるアスファルトマスチック６０および加熱装置と同様に作用する。すなわち、万一側面密封部１５や補助密封部１６が破損してケーソン１同士の空間１２ａに隙間が生じた場合は、電源６３からケーブル６２を介して加熱棒６１に電力を供給し、加熱棒６１からの発熱によってアスファルトマスチック６０を流動化させる。流動化したアスファルトマスチック６０は、連結部１２に生じた隙間を埋めて水の浸入や不透水性遮水材１４の漏洩を防止する。
【０１０２】
本実施形態の遮水構造によれば、ケーソン１の連結部１２の空間１２ａにおいて熱流動性遮水材であるアスファルトマスチック６０が両端面１ａ、１ｂに接するように設けられているので、水の浸入や不透水性遮水材１４の漏洩を妨げることができ、遮水機能を向上させることができる。さらに、遮水構造の一部が破損してケーソン１の連結部１２に隙間が生じた場合であっても、アスファルトマスチック６０を加熱して流動化させることによって生じた隙間を埋めることができ、遮水機能を保持することができる。
【０１０３】
以上、本発明を図示の実施の形態について説明したが、本発明は上記の実施の形態に限定されず、本発明の範囲内でその具体的構造に種々の変更を加えてよいことはいうまでもない。また、上述の実施の形態は適宜組み合わせて実施することで、連結機能および遮水機能が一層向上する。
【０１０４】
なお、上記実施の形態は、連結構造物１００が沿岸海域の沿岸構造物の場合を例に説明したが、水域が河川水域、湖水域等の場合を含む一般的な沿岸水域においても本発明が同様に適用され本発明の作用効果を奏し得ることは前述のとおりである。
【図面の簡単な説明】
【０１０５】
【図１】本発明の実施の第１形態に係る遮水構造を備えた連結構造物の構成を示す平面断面図であり、図２０中Ｄ−Ｄ矢視に相当する。
【図２】本発明の実施の第２形態に係る遮水構造を備えた連結構造物の構成を示す平面断面図であり、図２０中Ｄ−Ｄ矢視に相当する。
【図３】図２中Ｅ部の拡大図であり、本発明の実施の第２形態の遮水構造を備えた連結構造物の作用説明図である。
【図４】図２中Ｅ部の拡大図であり、本発明の実施の第２形態の遮水構造を備えた連結構造物の作用説明図である。
【図５】図２中Ｆ−Ｆ矢視による連結構造物の立面断面図であり、図２２（ａ）、（ｂ）と同様の範囲を示す。
【図６】本発明の実施の第２形態の遮水構造を備えた連結構造物における係止部の変形例の説明図であり、図３、４と同様の範囲を示す。
【図７】本発明の実施の第３形態に係る遮水構造を備えた連結構造物の要部である係止部の説明図であり、図３、図４と同様の範囲を示す。
【図８】本発明の実施の第４形態に係る遮水構造を備えた連結構造物の要部である係止部の説明図であり、図３、図４と同様の範囲を示す。
【図９】実施の第４形態の係止部の作用説明図であり、（ａ）はケーソン同士が幅方向Ｘで離れるとき、（ｂ）は幅方向Ｘで近づくときを示す。
【図１０】本発明の実施の第５形態に係る遮水構造を備えた連結構造物の補充用タンクの説明図であり、図５と同様の方向の断面を示す。
【図１１】図１０中Ｈ−Ｈ矢視による断面図である。
【図１２】本発明の実施の第６形態に係る遮水構造を備えた連結構造物の構成を示す平面断面図であり、図２０中Ｄ−Ｄ矢視に相当する。
【図１３】本発明の実施の第７形態に係る遮水構造を備えた連結構造物の構成を示す平面断面図であり、図２０中Ｄ−Ｄ矢視に相当する。
【図１４】図１３中Ｉ部の拡大図である。
【図１５】図１４中Ｊ部の拡大図である。
【図１６】本発明の実施の第７形態に係る遮水構造を備えた連結構造物の作用説明図である。
【図１７】本発明の実施の第８形態に係る遮水構造を備えた連結構造物の構成を示す平面断面図であり、図２０中Ｄ−Ｄ矢視に相当する。
【図１８】本発明の実施の第８形態に係るアスファルトマスチックと加熱装置の構成を示す図である。
【図１９】本発明の実施の第９形態に係る遮水構造を備えた連結構造物の構成を示す平面断面図であり、図２０中Ｄ−Ｄ矢視に相当する。
【図２０】連結構造物の例として一般的な沿岸構造物の斜視図である。
【図２１】図２０中Ａ−Ａ矢視断面で示す沿岸構造物の設置状態説明図であり、（ａ）は陸地Ｇと海域Ｓ１との間、（ｂ）は海域Ｓ１と海域Ｓ２との間に設置した場合を示す。
【図２２】沿岸構造物のケーソンの移動状態の説明図であり、（ａ）、（ｂ）は図２０中Ｂ−Ｂ矢視立面断面図、（ｃ）は図２０中Ｃ−Ｃ矢視平面図である。
【符号の説明】
【０１０６】
１                                ケーソン
１ａ、１ｂ                        端面
１ｃ                              側壁
１ｄ                              切欠き部
２、１２、２２、３２、４２        連結部
１０                              連結構造物
１２ａ、３２ａ、４２ａ            空間
１３、２３、３３、４３            係止部
１３ａ、２３ａ、３３ａ、４３ａ    板材
１３ｂ、２３ｂ、３３ｂ、４３ｂ    板材
１４                              不透水性充填材
１５                              側面密封部
１６                              補助密封部
１７ａ、１７ｂ                    下端部
１８                              波形鋼板
１８ａ                            強度弱小部
１９                              接合材
４３ｃ、４３ｄ                    係止板
５０                              補充液
５１                              タンク
５１ａ                            排水口
６０                              アスファルトマスチック
６１                              加熱棒
６２                              ケーブル
６３                              電源
１００                            連結構造物
【図１】
2004339921.tif 000003
【図２】
2004339921.tif 000004
【図３】
2004339921.tif 000005
【図４】
2004339921.tif 000006
【図５】
2004339921.tif 000007
【図６】
2004339921.tif 000008
【図７】
2004339921.tif 000009
【図８】
2004339921.tif 000010
【図９】
2004339921.tif 000011
【図１０】
2004339921.tif 000012
【図１１】
2004339921.tif 000013
【図１２】
2004339921.tif 000014
【図１３】
2004339921.tif 000015
【図１４】
2004339921.tif 000016
【図１５】
2004339921.tif 000017
【図１６】
2004339921.tif 000018
【図１７】
2004339921.tif 000019
【図１８】
2004339921.tif 000020
【図１９】
2004339921.tif 000021
【図２０】
2004339921.tif 000022
【図２１】
2004339921.tif 000023
【図２２】
2004339921.tif 000024